(57)【特許請求の範囲】
【請求項１】
環状に並ぶ複数の目盛を表示する表示面を有する表示板と、
互いに間隔を開けて前記表示板の表示方向に複数配置されることにより前記複数の目盛を形成し、光を入射させるための入射部、及び前記入射部から入射する光を前記環状の中心部に向かって出射することにより、前記表示面に光の線を映し出す出射部、を有する目盛部材と、
前記目盛部材に供給される光を放射する光源と、
前記光源から放射された光を、複数の前記目盛部材の各前記入射部に導光する導光体と、を備え、
前記出射部は、表示方向へ向かうほど前記環状の内側に傾斜することを特徴とする表示装置。
【請求項２】
前記出射部は、表示方向へ向かうほど前記環状の内側への傾斜が大きくなるように湾曲することを特徴とする請求項１に記載の表示装置。
【請求項３】
前記表示面には、前記環状の周方向に沿って延びる複数の溝が形成されることを特徴とする請求項１又は２に記載の表示装置。
【請求項４】
前記目盛部材は、透光性の材料によって形成され、
前記表示板は、
前記表示面と同一平面上において前記目盛部材と表示方向に重なるように位置し、前記光源からの光を表示方向に出射することによって発光する発光部、を有することを特徴とする請求項１〜３のいずれか一項に記載の表示装置。
【請求項５】
前記目盛部材は、
前記表示面よりも表示方向に位置し、前記入射部から入射した光を表示方向に向けて反射する反射部、を有することを特徴とする請求項１〜４のいずれか一項に記載の表示装置。
【請求項６】
全ての前記目盛部材を、前記環状の周方向に連結する連結部が、複数の前記目盛部材と一体で形成されることを特徴とする請求項１〜５のいずれか一項に記載の表示装置。
【請求項７】
前記表示面に沿って回転することにより、前記表示板に表示される前記目盛を指し示す指針、をさらに備えることを特徴とする請求項１〜６のいずれか一項に記載の表示装置。
【請求項８】
前記指針は、
当該指針の回転中心であって前記環状の前記中心部に位置する回転中心部、を有し、
前記回転中心部は、
前記指針の回転方向に沿って環状に延び、前記出射部から出射される光を表示方向に反射する指針反射部、を形成することを特徴とする請求項７に記載の表示装置。
【発明の詳細な説明】
【技術分野】
【０００１】
本発明は、環状に並ぶ複数の目盛を表示する表示板を備える表示装置に関する。
【背景技術】
【０００２】
従来、表示板の表示方向に互いに間隔を開けて複数配置された目盛部材によって、環状に並ぶ複数の目盛を形成している表示装置が知られている。このような表示装置の一種として、例えば特許文献１に開示の車両用計器は、光を入射させるための入射部及び当該入射部から入射する光を環状の中心部に向かって出射する出射部を有する目盛部材としての導光体と、当該導光体の入射部に向けて光を放射する光源を備えている。
【０００３】
特許文献１の車両用計器では、各光源から放射された光は、各導光体の入射部に入射した後、出射部から出射される。出射部から出射される光の一部は、文字板の表示面にて表示方向に反射される。これにより、文字板の表示方向の面に複数の光の線が映し出される。環状に並ぶ目盛の中心部から各導光体の出射部に向かう複数の光の線の広がりによって、表示装置の表示に立体感が付与される。
【先行技術文献】
【特許文献】
【０００４】
【特許文献１】特開２００６−８４１９７号公報
【発明の概要】
【発明が解決しようとする課題】
【０００５】
さて、特許文献１に記載の車両用計器において、文字板の表示方向の面に映し出される光の線の数が少ない場合、環状の中心部から各導光体の出射部に向かって広がる光の線が、視認され難くなる。故に、光の線の広がりによって表示装置の表示に付与しようとした立体感が、不十分となるおそれがある。
【０００６】
そこで、光の線の広がりによって表示装置の表示に付与される立体感をさらに確実なものにすべく、導光体の数を増やすことが考えられる。しかし、特許文献１に記載の車両用計器では、一つの導光体に対して、当該導光体に光を供給するための光源は、一つ設けられている。故に、光源の数を増加させなければ、表示装置に設けることができる導光体の数を増加させることができなかった。
【０００７】
本発明は、上記問題点に鑑みてなされたものであって、その目的は、少ない光源で立体感のある表示を形成することができる表示装置を提供することである。
【課題を解決するための手段】
【０００８】
上記目的を達成するために、請求項１に記載の発明は、環状に並ぶ複数の目盛を表示する表示面を有する表示板と、互いに間隔を開けて表示板の表示方向に複数配置されることにより複数の目盛を形成し、光を入射させるための入射部、及び入射部から入射する光を環状の中心部に向かって出射することにより、表示面に光の線を映し出す出射部、を有する目盛部材と、目盛部材に供給される光を放射する光源と、光源から放射された光を、複数の目盛部材の各入射部に導光する導光体と、を備え、出射部は、表示方向へ向かうほど環状の内側に傾斜することを特徴とする。
【０００９】
この発明によれば、導光体は、光源から放射される光を複数の目盛部材の各入射部に導光する。故に、光源の数が目盛部材の数より少なくても、光源によって放射された光は、各目盛部材に供給される。以上により、光源の数の増加を抑えたうえで、表示装置に設けることができる目盛部材の数の増加が可能になる。
【００１０】
加えて、目盛部材の数を増加させることにより、表示板の表示面に映し出される光の線の数も増加する。故に、環状の中心部から各目盛部材の各出射部に向かって広がる光の線は、さらに鮮明に視認され得る。以上により、光の線の広がりによって表示装置の表示に付与される立体感は、さらに確実なものとなる。
【００１１】
したがって、表示装置は、少ない光源で立体感のある表示を形成することができる。
【００１３】
加えて請求項１の発明によれば、出射部から出射される光によって表示板に映し出される光の線は、表示板に反射する出射部の反射像である。故に、出射部が表示方向に向かうほど環状の内側に傾斜している場合、その反射像である光の線は、表示方向と反対の方向に向かうほど、環状の内側に傾斜した態様となる。このように、環状の内側に向かうほど表示面から奥側に延びるかの如く映し出される光の線は、視認者に奥行きを感じさせられ得る。したがって、表示板の表示面に対して傾いて映し出される光の線により、表示装置は、さらに立体感のある表示を形成できる。
【００１４】
請求項２に記載の発明では、出射部は、表示方向に向かうほど環状の内側への傾斜が大きくなるように湾曲することを特徴とする。
【００１５】
この発明のように、表示方向に対して出射部が傾斜している場合、表示板の表示面に沿って目盛部材内を進む光が、出射部で反射してしまい、当該出射部から出射され難くなるおそれがある。そこで、表示方向に向かうほど環状の内側への傾斜が大きくなるように出射部を湾曲させる。これにより、出射部のうちで、表示面に沿って目盛部材内を進む光を反射させてしまう範囲を狭くすることができる。故に、出射部によって反射されてしまう光の量は、低減され得る。以上により、出射部から表示面に向けて出射される光の量が増加するので、表示面には光の線が鮮明に映し出される。したがって、表示装置は、さらに立体感のある表示を形成できる。
【００１６】
請求項３に記載の発明では、表示面には、環状の周方向に沿って延びる複数の溝が形成されることを特徴とする。
【００１７】
この発明によれば、環状の周方向に沿って延びる複数の溝は、当該溝の内壁面によって、出射部から環状の中心部に向かって出射された光を、表示方向に反射し得る。このような溝が表示面に複数形成されることにより、表示面によって表示方向に反射される光の量は増加し得る。以上により、表示面によって視認者に向けて反射される光の量が増加するので、表示面には光の線が鮮明に映し出される。したがって、表示装置は、さらに立体感のある表示を形成できる。
【００１８】
請求項４に記載の発明では、目盛部材は、透光性の材料によって形成され、表示板は、表示面と同一平面上において目盛部材と表示方向に重なるように位置し、光源からの光を表示方向に出射することによって発光する発光部、を有することを特徴とする。
【００１９】
この発明によれば、表示面と同一平面上に位置する発光部から表示方向に出射される光は、当該発光部と表示方向に重なる透光性の目盛部材を通過し、視認者に視認される。表示方向において目盛部材と重なる位置で発光する発光部は、目盛部材の出射部から環状の中心部に向かう光の線を、当該環状の外側に延長させたかのような表示を形成する。これにより、光の線の広がりがいっそう強調されるので、表示装置による表示の立体感は、さらに向上する。
【００２０】
さらに、請求項１に記載の構成と組み合わされた場合、表示面と同一平面上にて発光する発光部と、環状の内側に向かうほど表示面から奥側に延びるかの如き光の線との対比によって、表示方向に沿った奥行きが強調される。故に、表示装置による表示の立体感は、さらに確かなものとなる。
【００２１】
請求項５に記載の発明では、目盛部材は、表示面よりも表示方向に位置し、入射部から入射した光を表示方向に向けて反射する反射部、を有することを特徴とする。
【００２２】
この発明によれば、反射部は、光を表示方向に向けて反射することにより、発光しているかのように視認される。このように表示面よりも表示方向の位置にて発光する反射部と、表示面に映し出される光の線とは、表示方向において互いにずれている。故に、反射部と光の線との対比によって、表示方向に沿った奥行きが強調される。したがって、表示装置による表示の立体感は、さらに確かなものとなる。
【００２３】
請求項６に記載の発明では、全ての目盛部材を、環状の周方向に連結する連結部が、複数の目盛部材と一体で形成されることを特徴とする。
【００２４】
この発明によれば、全ての目盛部材が、連結部によって環状の周方向に連結されることにより、各目盛部材の各出射部によって出射される光の方向が、精度よく規定され得る。故に、各光の線は、各目盛部材の各出射部から正確に環状の中心部に向かうことができる。このように、表示面に映し出される光の線の向きを正確に規定できるので、当該光の線の広がりによって獲得される表示の立体感は、さらに確実なものとなる。
【００２５】
請求項７に記載の発明では、表示面に沿って回転することにより、表示板に表示される目盛を指し示す指針、をさらに備えることを特徴とする。
【００２６】
この発明によれば、表示面に沿って回転する指針と、表示面に映し出される光の線とは、表示方向において互いにずれて位置している。故に、回転する指針と光の線との対比によって、表示方向に沿った奥行きが強調される。したがって、表示装置による表示の立体感は、さらに確かなものとなる。
【００２７】
請求項８に記載の発明では、指針は、当該指針の回転中心であって環状の中心部に位置する回転中心部、を有し、回転中心部は、指針の回転方向に沿って環状に延び、出射部から出射される光を表示方向に反射する指針反射部、を形成することを特徴とする。
【００２８】
この発明によれば、表示面に沿って回転する指針の回転中心部と、表示面に映し出される光の線とは、表示方向において互いにずれて位置している。加えて、指針反射部は、出射部から出射される光を表示方向に向けて反射することにより、発光しているかのように視認される。以上により、発光する指針反射部と光の線との対比によって、表示方向に沿った奥行きが強調される。したがって、表示装置による表示の立体感は、さらに確かなものとなる。
【００２９】
加えて、指針の回転中心である回転中心部は、指針が回転しても、環状の中心部に位置し続ける。また、指針の回転方向に沿って環状に延びる指針反射部によって、指針が回転しても、指針反射部は、出射部から出射される光を表示方向に反射し続ける。以上により、視認上において、指針反射部による光の反射によって発光しているかの如く視認される部分は、指針の回転によっては移動しない。これにより、発光する指針反射部と光の線との対比が容易となるので、表示方向に沿った奥行きは、視認者に知覚され易くなる。したがって、表示装置による表示の立体感は、いっそう確かなものとなる。
【図面の簡単な説明】
【００３０】
【図１】本発明の一実施形態によるコンビネーションメータの正面図である。
【図２】本発明の一実施形態によるコンビネーションメータの機械的構成を示す図であって、図１のＩＩ−ＩＩ線断面図である。
【図３】本発明の一実施形態によるコンビネーションメータの電気的構成を示すブロック図である。
【図４】本発明の特徴部分である目盛部の構成を説明するための図であって、図２のＩＶの部分の拡大図である。
【図５】本発明の特徴部分であるボスキャップの構成を説明するための図であって、図２のＶの部分の拡大図である。
【図６】目盛導光体の形状を説明するための斜視図である。
【発明を実施するための形態】
【００３１】
以下、本発明の一実施形態を図面に基づいて説明する。
【００３２】
図１は、本発明の一実施形態によるコンビネーションメータ１００の正面図である。図２は、コンビネーションメータ１００の構造を説明するための断面図である。コンビネーションメータ１００は、車両の車室内に設けられたインスツルメントパネル内に収容され、図１に示す正面側を運転席側に向けて配置されている。
【００３３】
コンビネーションメータ１００は、車両に関する種々の情報の表示する表示装置である。図１に示されるように、コンビネーションメータ１００は、スピードメータ２０、並びに図示されないタコメータ、水温計、及び燃料計等の計器によって構成されている。
【００３４】
スピードメータ２０の表示は、表示板３０、指針４０、及び見返し部材３９等によって構成されている。表示板３０は、円盤状に形成されている。表示板３０は、複数の主目盛３２及び補助目盛３４、並びに数字３６等を表示方向の表示面３０ａに表示している。複数の主目盛３２及び補助目盛３４は、表示板３０の外縁に沿って環状に、等間隔で互い違いに並んでいる。数字３６は、車両の速度を表すための数字を模った意匠であって、表示環状に並ぶ主目盛３２の径方向内側に位置している。指針４０は、表示面３０ａに沿って回転することにより、当該表示面３０ａに表示される主目盛３２及び補助目盛３４を指し示す。見返し部材３９は、表示板３０の外縁を囲んでおり、表示上においてスピードメータ２０と、コンビネーションメータ１００の他の計器との境界を示している。スピードメータ２０は、外来光の少ない環境下において、主目盛３２、補助目盛３４、数字３６、及び指針４０を発光表示させる。
【００３５】
次に、コンビネーションメータ１００の機械的構成を、図１及び図２に基づいて説明する。
【００３６】
コンビネーションメータ１００は、回路基板８０、上述した表示板３０、見返し部材３９、及び指針４０、さらに導光板６０及びリフレクタ７０を備えている。尚、これらコンビネーションメータ１００の構成は、複数のケース部材および透明なフロントパネル等を互いに組み付けることによって構成された筐体（図示しない）に収容されており、雰囲気中の塵や埃等から保護されている。
【００３７】
回路基板８０は、例えば紙フェノール系またはガラスエポキシ系の硬質の基板である。回路基板８０の両面には、所定の銅箔材料からなる配線パターン（図示しない）が形成されている。回路基板８０には、表示方向に沿って貫通する指針開口部８１が設けられている。回路基板８０には、配線パターンと接続された複数の電子部品、具体的には、ステッパーモータ８７、目盛照明用ＬＥＤ８３及び指針照明用ＬＥＤ８４、並びにメータ制御部８５等が実装されている。
【００３８】
ステッパーモータ８７は、入力されたパルス電力に同期して回転する回転子、当該回転子と一体である指針軸８８、および回転子や磁石等の機構を収容するモータハウジング（図示しない）を有している。ステッパーモータ８７の指針軸８８は、入力されたパルス電力に応じて、回転すべき方向へ所望の角度まで回転する。このステッパーモータ８７は、回路基板８０に設けられた指針開口部８１の表示方向とは反対側（以下、背面側）に配置されており、指針開口部８１を通して指針軸８８の先端を表示方向に突出させている。
【００３９】
目盛照明用ＬＥＤ８３及び指針照明用ＬＥＤ８４は、電気エネルギーを光エネルギーに変換する半導体素子である。目盛照明用ＬＥＤ８３は、電圧の印加によって例えば白色の光源色を備えた光を放射する。目盛照明用ＬＥＤ８３は、導光板６０の背面側に配置されており、表示方向に光を放射する。指針照明用ＬＥＤ８４は、電圧の印加によって例えば赤色の光源色を備えた光を放射する。指針照明用ＬＥＤ８４は、回路基板８０の表示方向の面において、指針開口部８１の周縁に配置されている。尚、目盛照明用ＬＥＤ８３及び指針照明用ＬＥＤ８４として用いられる発光ダイオードの光源色は、上記の色に限定されるものではなく、適宜選択されてよい。
【００４０】
表示板３０は、無色透明のポリカーボネート等の透光性の材料によって円盤状に形成されている。表示板３０は、０．５ミリメートル程度の厚さに成形されたポリカーボネート等のシート材の表面に、遮光性の印刷を施すことにより形成されている。表示板３０において、補助目盛３４、数字３６、及び後述する外周発光部３２ａに相当する箇所は、遮光性の印刷に替えて透光性の印刷が施されるか、又は遮光性の印刷が省略されることにより、透光部となっている。この透光部は、表示板３０の表示方向とは反対の方向（以下、背面方向とする）に設けられている導光板６０から出射された光を透過させることにより、発光することができる。また、表示板３０の径方向の中央部には、表示板３０と同心の円形の指針開口部３１が形成されている。
【００４１】
指針４０は、例えば無色透明のアクリル樹脂等の透光性材料によって形成された指針部材４１と、例えばポリアセタール樹脂等の遮光性を備える樹脂材料等によって形成されたボスキャップ４３等とを組み合わせることによって構成されている。
【００４２】
指針部材４１は、表示板３０の径方向に沿って延伸する指針発光部４１ａ及び固定部４２を有している。指針部材４１は、指針照明用ＬＥＤ８４から表示方向に放射される光を、当該指針部材４１の内部に入射させ、指針発光部４１ａから表示方向に出射する。これにより、指針発光部４１ａは発光する。固定部４２は、ステッパーモータ８７の指針軸８８に外嵌されることにより、指針４０を指針軸８８に固定する。固定部４２によって固定された指針４０は、ステッパーモータ８７に駆動されて、表示面３０ａに沿って回転する。
【００４３】
ボスキャップ４３は、指針４０の回転中心であって、環状に並べられる主目盛３２の中心部に位置している。ボスキャップ４３は、その外径が表示板３０の指針開口部３１の内径よりも大径となるよう形成されている。ボスキャップ４３は、指針部材４１の固定部４２及び表示板３０の指針開口部３１等が正面側から視認されないよう、これらを覆っている。
【００４４】
見返し部材３９は、例えば樹脂材料等によって形成された円環状の部材である。見返し部材３９の正面側から視認可能な領域には、コンビネーションメータ１００の見映えの向上を目的とした金属材料によるめっき処理が施されている。
【００４５】
導光板６０は、例えば無色透明のアクリル樹脂等の透光性材料によって、円盤状に形成されている。導光板６０は、表示板３０の背面側に配置されている。導光板６０は、目盛照明用ＬＥＤ８３の光を、当該導光板６０の内部に入射させるための入射部６１を有している。入射部６１は、導光板６０の背面側の面から、背面方向に向かって突出している。入射部６１は、表示方向において、目盛照明用ＬＥＤ８３と対向している。
【００４６】
リフレクタ７０は、導光板６０の背面側に配置されており、当該導光板６０を背面側から支持している。リフレクタ７０は、導光板６０に入射した光の外部へ漏れを防止する。リフレクタ７０は、例えば成型された樹脂部材の外表面に白色の塗装を施すことにより形成されている。
【００４７】
次に、コンビネーションメータ１００の電気的構成を、図３に基づいて説明する。
【００４８】
コンビネーションメータ１００は、メータ制御部８５、ステッパーモータ８７、目盛照明用ＬＥＤ８３、及び指針照明用ＬＥＤ８４等により電気的に構成されている。また、コンビネーションメータ１００には、外部のバッテリ９５、イグニッション・リレー９４、車載用のＬｏｃａｌ  Ａｒｅａ  Ｎｅｔｗｏｒｋ（車内ＬＡＮ）９１、および接地されたアース配線９８が接続されている。
【００４９】
メータ制御部８５は、プログラムによって作動するマイクロコンピュータである。メータ制御部８５は、バッテリ９５から電力を供給されている。メータ制御部８５は、車載されている車内ＬＡＮ９１に接続されており、当該車内ＬＡＮ９１に出力された車両に関する情報、例えば、車両の走行速度、イグニッション・スイッチ９３のＯＮ／ＯＦＦ状態等を取得する。また、メータ制御部８５は、目盛照明用ＬＥＤ８３及び指針照明用ＬＥＤ８４ＬＥＤ８３ａと接続されており、これらＬＥＤに電圧を印加することにより、光を放射させる。メータ制御部８５は、ステッパーモータ８７と接続されており、取得した車両の走行速度に関する情報に基づいて、指針軸８８（図２参照）の回転すべき回転方向、回転角度、回転速度を算出する。そしてメータ制御部８５は、この算出結果に対応したパルス電力をステッパーモータ８７に出力し、指針軸８８を駆動する。
【００５０】
また、コンビネーションメータ１００と接続される車内ＬＡＮ９１上には、電力供給制御回路９２が設けられている。電力供給制御回路９２は、運転者によるイグニッション・スイッチ９３の押圧操作を検知して、イグニッション・リレー９４に電圧を印加し、当該リレー９４を通電状態にする。また、電力供給制御回路９２は、検知した運転者によるイグニッション・スイッチ９３の押圧操作に基づいて、車両のイグニッションのＯＮ／ＯＦＦ状態に関する情報を車内ＬＡＮ９１上に出力する。
【００５１】
以上説明したコンビネーションメータ１００の作動によれば、図１に示される指針４０の指針発光部４１ａの発光表示、並びに主目盛３２、補助目盛３４、及び数字３６の透過照明が行われる。また、指針軸８８の車速に応じた角度への回転によって、指針４０の先端が複数の主目盛３２及び補助目盛３４のうちのいずれかを指し示す。これらにより、車両の走行速度に応じた指針表示が、スピードメータ２０に形成される。
【００５２】
（特徴部分）
以下、本発明の一実施形態によるコンビネーションメータ１００の特徴部分について、図１，２及び図４〜６に基づいて詳細に説明する。
【００５３】
コンビネーションメータ１００は、目盛導光体５０をさらに備えている。目盛導光体５０は、例えば無色透明のアクリル樹脂等の透光性材料によって形成されている。目盛導光体５０は、複数の目盛部５１及び連結部５９を有している。
【００５４】
複数の目盛部５１は、図１，２及び図４に示されるように、互いに間隔を開けた状態で、表示板３０の表示方向に配置されている。複数の目盛部５１によって、表示板３０に表示される複数の主目盛３２が形成されている。各目盛部５１は、入射面５２、第一反射面５３、第二反射面５４、第三反射面５５、出射面５６、及び頂面５７を有している。
【００５５】
入射面５２は、目盛部５１の内部に光を入射させるための構成である。入射面５２は、導光板６０の外周面と対向している。入射面５２には、導光板６０から径方向外側に出射される光が入射する。
【００５６】
第一反射面５３は、径方向において入射面５２と重なる位置に形成されている。第一反射面５３は、表示方向に向かうほど、径方向の外側に傾斜している。第一反射面５３は、入射面５２に入射する径方向の外側に向う光を、表示方向に反射する。
【００５７】
第二反射面５４は、第一反射面５３の表示方向に形成されている。第二反射面５４は、表示方向において第一反射面５３と重なるように位置している。第二反射面５４は、表示方向に向かうほど、径方向の内側に傾斜している。第二反射面５４は、第一反射面５３によって表示方向に反射される光を、主に径方向内側に反射する。
【００５８】
第三反射面５５は、表示面３０ａよりも表示方向に位置しており、頂面５７と連続している。第三反射面５５は、第二反射面５４の径方向内側に形成されている。第三反射面５５は、径方向において第二反射面５４と重なるように位置している。第三反射面５５は、表示方向に向かうほど、径方向の内側に傾斜している。第三反射面５５は、入射面５２から目盛部５１に入射し、第一反射面５３及び第二反射面５４によって反射された光を、表示方向に向けて反射する。
【００５９】
出射面５６は、径方向において、第二反射面５４よりも内側に形成されている。出射面５６は、入射面５２から目盛部５１に入射し、第一反射面５３及び第二反射面５４によって反射された光であって、径方向内側に進む光を、環状に並ぶ主目盛３２の中心部に向かって出射する。これにより出射面５６は、表示板３０の表示面３０ａに光の線１０を映し出す。出射面５６は、表示方向へ向かうほど、環状に並ぶ主目盛３２の内側に傾斜している。
【００６０】
加えて出射面５６は、表示方向に向かうほど、環状の内側への傾斜が大きくなるように湾曲している。出射面５６が表示方向に対して傾斜している場合、表示面３０ａに沿って目盛部５１内を進む光が、出射面５６で表示方向に反射してしまい、当該出射面５６から出射され難くなるおそれがあるためである。詳しく説明すると、出射面５６での反射を抑えるためには、出射面５６は、表示方向に沿っていることが望ましい。上述したように出射面５６を湾曲させることによれば、出射面５６のうち、頂面５７よりも表示面３０ａに近接している範囲の面方向が、表示方向に近似する。これにより、出射面５６において表示方向に沿う範囲が拡大されるので、表示面３０ａに沿って環状の中心部に向かって進む光は、当該出射面５６から出射され易くなる。
【００６１】
頂面５７は、目盛部５１の最も表示方向に位置する平滑な平面である。第三反射面５５によって表示方向に反射される光は、頂面５７から出射されることにより、例えば運転者等の視認者に視認される。また、後述する表示板３０の外周発光部３２ａから表示方向に放射される光も、目盛部５１の内部を進み、頂面５７から出射されることにより、視認者に視認される。視認者は、頂面５７を通して第三反射面５５及び外周発光部３２ａを視認することができる。
【００６２】
連結部５９は、図６に示されるように、環状に並ぶ複数の目盛部５１と一体で形成されている。連結部５９は、全ての目盛部５１を、環状の周方向に連結している。
【００６３】
表示板３０は、図１，２及び図４に示されるように、外周発光部３２ａ及びヘアライン部３７を有している。
【００６４】
外周発光部３２ａは、表示面３０ａと同一平面上において、目盛部５１と表示方向に重なるように位置している。外周発光部３２ａは、上述した補助目盛３４及び数字３６等と同様に、表示板３０の透過部である。外周発光部３２ａは、導光板６０によって供給される目盛照明用ＬＥＤ８３からの光を表示方向に出射することによって発光する。外周発光部３２ａから表示方向に出射される光は、目盛部５１の内部を通過し、当該目盛部５１の頂面５７から出射される。
【００６５】
ヘアライン部３７は、表示板３０の表示面３０ａの全体に亘って形成されている。ヘアライン部３７は、具体的には、環状に並ぶ主目盛３２の周方向に沿って延びる、微細な複数の溝３８によって形成されている。各溝３８は、互いに同心円状に形成されている。各溝３８の壁面３８ａは、背面方向に向かうほど当該溝３８の幅が狭くなるように、表示方向に対して傾斜している。
【００６６】
導光板６０は、目盛照明用ＬＥＤ８３によって放射される光を目盛部５１及び外周発光部３２ａに供給するために、主出射部６３及び補助出射部６５を有している。
【００６７】
主出射部６３は、円盤状に形成される導光板６０の外周面であって、各目盛部５１の各入射面５２と径方向において対向している。主出射部６３は、目盛照明用ＬＥＤ８３から放射され、入射部６１から導光板６０の内部に入射した光を、径方向外側に出射する。主出射部６３から出射される光は、各入射面５２に受光される。このように導光板６０は、目盛照明用ＬＥＤ８３から放射される光を、各目盛部５１に形成される各入射面５２に導光する。
【００６８】
補助出射部６５は、導光板６０の表示方向の面に形成されている。補助出射部６５は、導光板６０の外縁において、表示板３０の外周発光部３２ａと重なる位置に設けられている。補助出射部６５は、目盛照明用ＬＥＤ８３から放射され、入射部６１から導光板６０の内部に入射した光を、表示方向に出射する。補助出射部６５から出射される光は、各外周発光部３２ａに受光される。このように導光板６０は、目盛照明用ＬＥＤ８３から放射される光を、各外周発光部３２ａに導光する。
【００６９】
指針４０のボスキャップ４３には、図１，２及び図５に示されるように、指針反射面４４が形成されている。指針反射面４４は、指針４０の回転方向に沿って環状に延びている。指針反射面４４は、表示方向に向かうほど、内径の小さくなる円錐状の曲面である。指針反射面４４は、表示方向に対して傾斜しており、出射面５６から放射される光を表示方向に反射する。加えて、指針反射面４４には、当該指針反射面４４の光の反射率を高めるために、金属材料によるめっき処理が施されている。
【００７０】
以上の構成により、図１，２及び図４，図５に示されるように、表示面３０ａの中心部から各目盛部５１の出射面５６に向かう複数の光の線１０の広がりによって、スピードメータ２０の表示に立体感が付与される。加えて、この表示板３０に映し出される光の線１０は、表示板３０に反射する出射面５６の反射像である。故に、本実施形態のように出射面５６が表示方向に向かうほど環状の内側に傾斜している場合、その反射像である光の線１０は、表示方向と反対の方向に向かうほど、径方向の内側に傾斜した態様となる。これにより光の線１０は、環状に並ぶ主目盛３２の内側に向かうほど、表示面３０ａから奥側に延びるかの如く映し出される（図２及び図４の二点鎖線参照）。尚、図１に破線にて示される光の線１０の明るさは、環状に並ぶ主目盛３２の内側に向かうほど低下する。
【００７１】
また主目盛３２に含まれる外周発光部３２ａは、表示方向に出射する光が透光性の目盛部５１を通して視認者に視認されることにより、表示板３０と同一平面上にて発光しているように知覚される。このように、表示面３０ａ上に位置する外周発光部３２ａと、表示面３０ａから奥側に延びる光の線１０とは、表示方向において互いにずれている。
【００７２】
加えて主目盛３２に含まれる第三反射面５５は、表示方向に反射する光が目盛部５１の頂面５７を通して視認者に視認されることにより、表示面３０ａよりも表示方向の位置にて発光しているように知覚される。このように、表示面３０ａの表示方向に位置する第三反射面５５と、表示面３０ａに映し出される光の線１０とは、表示方向において互いにずれている。
【００７３】
さらに指針反射面４４は、光を表示方向に向けて反射することにより、表示面３０ａよりも表示方向の位置にて、発光しているかのように知覚される。表示面３０ａの表示方向に位置する指針反射面４４と、表示面３０ａに映し出される光の線１０とは、表示方向において互いにずれている。また同様に、表示板３０ａに沿って回転する指針４０の指針発光部４１ａと、光の線１０とも、表示方向において互いにずれている。
【００７４】
以上によれば、スピードメータ２０の表示では、表示方向から、第三反射面５５、指針反射面４４、指針発光部４１ａ、外周発光部３２ａ、光の線１０が順に、互いにずれて位置することとなる。
【００７５】
ここまで説明した本実施形態では、導光板６０は、目盛照明用ＬＥＤ８３から放射される光を複数の目盛部５１の各入射面５２に導光する。故に、目盛照明用ＬＥＤ８３の数が目盛部５１の数より少なくても、目盛照明用ＬＥＤ８３によって放射された光は、各目盛部５１に供給される。以上により、目盛照明用ＬＥＤ８３の数の増加を抑えたうえで、スピードメータ２０に設けることができる目盛部５１の数の増加が可能になる。
【００７６】
加えて、目盛部５１の数を増加させることにより、表示板３０の表示面３０ａに映し出される光の線１０の数も増加する。故に、環状の中心部から各出射面５６に向かって広がる光の線１０は、さらに鮮明に視認され得る。以上により、光の線１０の広がりによってスピードメータ２０の表示に付与される立体感は、さらに確実なものとなる。
【００７７】
したがって、コンビネーションメータ１００は、少ない目盛照明用ＬＥＤ８３で立体感のある表示を形成することができる。
【００７８】
加えて本実施形態では、環状に並ぶ主目盛３２の内側に向かうほど、表示面３０ａから奥側に延びるかの如く映し出される光の線１０は、視認者に奥行きを感じさせられ得る。このように、表示板３０の表示面３０ａに対して奥側に傾いて映し出される光の線１０により、コンビネーションメータ１００は、さらに立体感のあるスピードメータ２０の表示を形成できる。
【００７９】
また本実施形態では、出射面５６を湾曲させることにより、出射面５６のうちで、表示面３０ａに沿って目盛部５１内を進む光を反射させてしまう範囲を狭くすることができる。故に、出射面５６によって反射されてしまう光の量は、低減され得る。以上により、出射面５６から表示面３０ａに向けて出射される光の量が増加するので、表示面３０ａには光の線１０が鮮明に映し出される。したがって、コンビネーションメータ１００は、さらに立体感のあるスピードメータ２０の表示を形成できる。
【００８０】
さらに本実施形態では、目盛部５１の第三反射面５５と、指針４０の指針反射面４４と、指針４０の指針発光部４１ａと、表示面３０ａの外周発光部３２ａと、表示面３０ａから奥側に延びる光の線１０とが表示方向において、互いにずれて位置している。視認者に視認されるこれら第三反射面５５、指針反射面４４、指針発光部４１ａ、外周発光部３２ａ、及び光の線１０の対比によって、表示方向に沿った奥行きが強調される。したがって、スピードメータ２０の表示の立体感は、さらに確かなものとなる。
【００８１】
また加えて本実施形態では、ヘアライン部３７を形成する複数の溝３８は、当該溝３８の壁面３８ａによって、出射面５６から出射された光を、表示方向に反射し得る。このような溝３８が表示面３０ａに複数形成されることにより、表示面３０ａによって表示方向に反射される光の量は増加し得る。以上により、表示面３０ａには光の線１０が鮮明に映し出される。したがって、コンビネーションメータ１００は、さらに立体感のあるスピードメータ２０の表示を形成できる。
【００８２】
さらに加えて本実施形態では、表示方向において目盛部５１と重なる位置で発光する外周発光部３２ａは、スピードメータ２０の径方向に延びる光の線１０を、環状の外側に延長させたかのような表示を形成する。加えて、指針反射面４４による光の反射により発光しているかの如く視認されるボスキャップ４３の部分は、光の線１０を、さらに中心部に向けて延長させたかのような表示を形成する。これらにより、光の線１０の広がりがいっそう強調されるので、スピードメータ２０の表示の立体感は、さらに向上する。
【００８３】
またさらに本実施形態では、全ての目盛部５１が、連結部５９によって周方向に連結されているので、各出射面５６によって出射される光の方向は、精度よく規定され得る。故に、各光の線１０は、各出射面５６から正確に環状の中心部に向かうことができる。このように、表示面３０ａに映し出される光の線１０の向きを正確に規定できるので、当該光の線１０の広がりによって獲得されるスピードメータ２０の表示の立体感は、さらに確実なものとなる。
【００８４】
さらにまた本実施形態では、ボスキャップ４３は、指針４０が回転しても、環状に並ぶ主目盛３２の中心部に位置し続ける。また、指針４０の回転方向に沿って環状に延びる指針反射面４４によって、指針４０が回転しても、指針反射面４４は、出射面５６から出射される光を表示方向に反射し続けられる。以上により、視認上において、指針反射面４４による光の反射によって発光しているかの如く視認される部分は、指針４０の回転によっては移動しない。これにより、表示方向にずれて位置する指針反射面４４の発光部分と、光の線１０との対比が容易となるので、表示方向に沿った奥行きは、視認者に知覚され易くなる。したがって、スピードメータ２０の表示の立体感は、いっそう確かなものとなる。
【００８５】
尚、本実施形態において、主目盛３２が特許請求の範囲に記載の「目盛」に相当し、外周発光部３２ａが特許請求の範囲に記載の「発光部」に相当し、ボスキャップ４３が特許請求の範囲に記載の「回転中心部」に相当し、指針反射面４４が特許請求の範囲に記載の「指針反射部」に相当し、目盛部５１が特許請求の範囲に記載の「目盛部材」に相当し、入射面５２が特許請求の範囲に記載の「入射部」に相当し、第三反射面５５が特許請求の範囲に記載の「反射部」に相当し、出射面５６が特許請求の範囲に記載の「出射部」に相当し、導光板６０が特許請求の範囲に記載の「導光体」に相当し、目盛照明用ＬＥＤ８３が特許請求の範囲に記載の「光源」に相当し、コンビネーションメータ１００が特許請求の範囲に記載の「表示装置」に相当する。
【００８６】
（他の実施形態）
以上、本発明による一実施形態について説明したが、本発明は上記実施形態に限定して解釈されるものではなく、その要旨を逸脱しない範囲内において種々の実施形態に適用することができる。
【００８７】
上記実施形態では、出射面５６は、表示方向に対して傾斜しており、且つ湾曲していた。しかし、光を出射する出射部の形状は、上述した出射面５６のような形状に限定されない。例えば、出射部は、表示方向に向かうほど径方向内側に傾斜する平坦な斜面であってもよい。又は、出射部は、表示方向に沿った平面であってもよい。
【００８８】
上記実施形態では、表示面３０ａ全体にヘアライン部３７が形成されていた。しかし、表示面３０ａは、出射面５６から出射された光を表示方向に反射できることができれば、上述した構成でなくてもよい。例えば、表示面は、光の反射が可能な明るい色の平坦な平面であってもよい。又は、表示面に、径方向に明度又は彩度の変化するグラデーションが印刷等によって形成されていてもよい。
【００８９】
上記実施形態では、表示板３０の外縁に、表示方向において目盛部５１と重なるように外周発光部３２ａが形成されていた。また、目盛部５１には、表示方向に光を反射する第三反射面５５が形成されていた。さらに、ボスキャップ４３には、指針反射面４４が形成されていた。これら外周発光部３２ａ、第三反射面５５、及び指針反射面４４は、全て形成されている必要は無く、適宜省略されていてもよい。
【００９０】
上記実施形態では、全ての目盛部５１は、連結部５９によって互いに連結されていた。しかし、目盛部材は、互いに連結されていなくてもよい。正確に、光を出射する方向を規定することができれば、目盛部材は、導光体又は表示板等に固定されていてもよい。
【００９１】
上記実施形態では、本発明を適用することにより、車両の走行速度を表示するスピードメータの立体感を向上させた例に基づいて説明したが、本発明は、目盛を表示する表示装置全般に適用することができる。車両に搭載される表示装置、例えば、タコメータ、燃料計、及び水温計等に、本発明は適用されてもよい。
【符号の説明】
【００９２】
１０  光の線、２０  スピードメータ、３０  表示板、３０ａ  表示面、３１  指針開口部、３２  主目盛（目盛）、３２ａ  外周発光部（発光部）、３４  補助目盛、３６  数字、３７  ヘアライン部、３８  溝、３８ａ  壁面、３９  見返し部材、４０  指針、４１  指針部材、４１ａ  指針発光部、４２  固定部、４３  ボスキャップ（回転中心部）、４４  指針反射面（指針反射部）、５０  目盛導光体、５１  目盛部（目盛部材）、５２  入射面（入射部）、５３  第一反射面、５４  第二反射面、５５  第三反射面（反射部）、５６  出射面（出射部）、５７  頂面、５９  連結部、６０  導光板（導光体）、６１  入射部、６３  主出射部、６５  補助出射部、７０  リフレクタ、８０  回路基板、８１  指針開口部、８３  目盛照明用ＬＥＤ（光源）、８４  指針照明用ＬＥＤ、８５  メータ制御部、８７  ステッパーモータ、８８  指針軸、９１  車内ＬＡＮ、９２  電力供給制御回路、９３  イグニッション・スイッチ、９４  イグニッション・リレー、９５  バッテリ、９８  アース配線、１００  コンビネーションメータ（表示装置）
【図１】
0005408086.tif 000002
【図２】
0005408086.tif 000003
【図３】
0005408086.tif 000004
【図４】
0005408086.tif 000005
【図５】
0005408086.tif 000006
【図６】
0005408086.tif 000007